(57)【要約】【課題】印刷データを印刷出力したいというユーザの印刷意欲に応じて、そのユーザに印刷データの指定情報を通知するかどうかを判定できるようにする。【解決手段】通知判定部５０は、印刷データを印刷出力したいというユーザの印刷意欲に係る判断基準に従って、印刷データを指定する指定情報の通知が必要か否かを判定する。通知判定部５０は、ユーザの印刷データに対する印刷意欲に係る判断基準に従って、複数の印刷データの中から通知対象となる印刷データを特定する。また、通知判定部５０は、ユーザの印刷装置に対する印刷意欲に係る判断基準に従って、通知対象として特定された印刷データの指定情報の通知が必要か否かを判定する。【選択図】図２
2019159973.tif 000002
【特許請求の範囲】
【請求項１】
印刷データを印刷出力したいというユーザの印刷意欲に係る判断基準に従って、印刷データを指定する指定情報の通知が必要か否かを判定する判定手段と、
通知が必要と判定された印刷データの指定情報を前記ユーザに通知する通知手段と、
を有する携帯端末装置。
【請求項２】
請求項１に記載の携帯端末装置において、
前記判定手段は、
ユーザの印刷データに対する印刷意欲に係る第１判断基準に従って、複数の印刷データの中から通知対象となる印刷データを特定し、
当該ユーザの印刷装置に対する印刷意欲に係る第２判断基準に従って、前記通知対象として特定された印刷データの指定情報の通知が必要か否かを判定する、
ことを特徴とする携帯端末装置。
【請求項３】
請求項２に記載の携帯端末装置において、
前記判定手段は、サーバに登録された複数の印刷データの中から、印刷済みではない印刷データを通知対象とする条件と、有効期限が経過していない印刷データを通知対象とする条件と、登録日時が基準となる期間以内の新しい印刷データを通知対象とする条件のうちの少なくとも一つの条件を含む前記第１判断基準に従って、通知対象となる印刷データを特定する、
ことを特徴とする携帯端末装置。
【請求項４】
請求項２または３に記載の携帯端末装置において、
印刷装置への接近を検出する検出手段をさらに有し、
前記判定手段は、印刷装置への接近が検出された場合に、ユーザの居所から当該印刷装置までの距離が基準となる範囲内であれば通知が必要であるとする条件と、当該印刷装置において印刷の実績があれば通知が必要であるとする条件のうちの少なくとも一つの条件を含む前記第２判断基準に従って、前記通知対象として特定された印刷データの指定情報の通知が必要か否かを判定する、
ことを特徴とする携帯端末装置。
【請求項５】
請求項２から４のいずれか１項に記載の携帯端末装置において、
前記判定手段は、印刷データの解析結果から得られる有効期限が経過している場合に当該印刷データを通知対象としない、
ことを特徴とする携帯端末装置。
【請求項６】
請求項２から５のいずれか１項に記載の携帯端末装置において、
前記判定手段は、ユーザによる印刷データの利用実績と印刷装置の利用実績の少なくとも一方に応じて、前記第１判断基準と前記第２判断基準の少なくとも一方を動的に変更しつつ、当該ユーザへの印刷データの指定情報の通知が必要か否かを判定する、
ことを特徴とする携帯端末装置。
【請求項７】
コンピュータに、
印刷データを印刷出力したいというユーザの印刷意欲に係る判断基準に従って、印刷データを指定する指定情報の通知が必要か否かを判定する機能と、
通知が必要と判定された印刷データの指定情報を前記ユーザに通知する機能と、
を実現させるプログラム。
【発明の詳細な説明】
【技術分野】
【０００１】
本発明は、携帯端末装置およびプログラムに関する。
【背景技術】
【０００２】
特許文献１には、ユーザが携帯する無線機器の識別情報をＮＰＳサーバに送信し、その識別情報に対応する文書ファイルをＮＰＳサーバからダウンロードして出力データ格納部に格納しておき、ユーザがプリント予約番号を入力してプリント出力指示を行うと、そのプリント予約番号に対応する文書ファイルを出力データ格納部から取得し、取得した文章ファイルに基づいてプリント出力を行う装置が記載されている。
【０００３】
また、特許文献２には、ジョブ処理装置に格納されたジョブの実行指示を携帯情報端末で行い、ジョブ処理装置にユーザがログインしたことに従ってそのジョブを実行するシステムが記載されている。
【先行技術文献】
【特許文献】
【０００４】
【特許文献１】特開２００８−１１７３４９号公報
【特許文献２】特開２０１７−７８９８６号公報
【発明の概要】
【発明が解決しようとする課題】
【０００５】
ところで、印刷データを指定する指定情報をユーザに通知する場合に、印刷データを印刷出力したいというユーザの印刷意欲を無視して通知を行うと、例えば通知のタイミングや通知の内容によっては、ユーザにとって通知が邪魔になってしまう場合がある。
【０００６】
本発明は、印刷データを印刷出力したいというユーザの印刷意欲に応じて、そのユーザに印刷データの指定情報を通知するかどうかが判定されるようにすることを目的とする。
【課題を解決するための手段】
【０００７】
請求項１に係る発明は、印刷データを印刷出力したいというユーザの印刷意欲に係る判断基準に従って、印刷データを指定する指定情報の通知が必要か否かを判定する判定手段と、通知が必要と判定された印刷データの指定情報を前記ユーザに通知する通知手段と、を有する携帯端末装置である。
【０００８】
請求項２に係る発明は、請求項１に記載の携帯端末装置において、前記判定手段は、ユーザの印刷データに対する印刷意欲に係る第１判断基準に従って、複数の印刷データの中から通知対象となる印刷データを特定し、当該ユーザの印刷装置に対する印刷意欲に係る第２判断基準に従って、前記通知対象として特定された印刷データの指定情報の通知が必要か否かを判定することを特徴とする携帯端末装置である。
【０００９】
請求項３に係る発明は、請求項２に記載の携帯端末装置において、前記判定手段は、サーバに登録された複数の印刷データの中から、印刷済みではない印刷データを通知対象とする条件と、有効期限が経過していない印刷データを通知対象とする条件と、登録日時が基準となる期間以内の新しい印刷データを通知対象とする条件のうちの少なくとも一つの条件を含む前記第１判断基準に従って、通知対象となる印刷データを特定することを特徴とする携帯端末装置である。
【００１０】
請求項４に係る発明は、請求項２または３に記載の携帯端末装置において、印刷装置への接近を検出する検出手段をさらに有し、前記判定手段は、印刷装置への接近が検出された場合に、ユーザの居所から当該印刷装置までの距離が基準となる範囲内であれば通知が必要であるとする条件と、当該印刷装置において印刷の実績があれば通知が必要であるとする条件のうちの少なくとも一つの条件を含む前記第２判断基準に従って、前記通知対象として特定された印刷データの指定情報の通知が必要か否かを判定することを特徴とする携帯端末装置である。
【００１１】
請求項５に係る発明は、請求項２から４のいずれか１項に記載の携帯端末装置において、前記判定手段は、印刷データの解析結果から得られる有効期限が経過している場合に当該印刷データを通知対象としないことを特徴とする携帯端末装置である。
【００１２】
請求項６に係る発明は、請求項２から５のいずれか１項に記載の携帯端末装置において、前記判定手段は、ユーザによる印刷データの利用実績と印刷装置の利用実績の少なくとも一方に応じて、前記第１判断基準と前記第２判断基準の少なくとも一方を動的に変更しつつ、当該ユーザへの印刷データの指定情報の通知が必要か否かを判定することを特徴とする携帯端末装置である。
【００１３】
請求項７に係る発明は、コンピュータに、印刷データを印刷出力したいというユーザの印刷意欲に係る判断基準に従って、印刷データを指定する指定情報の通知が必要か否かを判定する機能と、通知が必要と判定された印刷データの指定情報を前記ユーザに通知する機能と、を実現させるプログラムである。
【発明の効果】
【００１４】
請求項１に係る発明により、印刷データを印刷出力したいというユーザの印刷意欲に応じて、そのユーザに印刷データの指定情報を通知するかどうかが判定されるようになる。
【００１５】
請求項２に係る発明により、ユーザの印刷データに対する印刷意欲に応じて通知対象となる印刷データを特定し、そのユーザの印刷装置に対する印刷意欲に応じて通知対象として特定された印刷データの指定情報の通知が必要か否かが判定されるようになる。
【００１６】
請求項３に係る発明により、サーバに登録された複数の印刷データの中から通知対象となる印刷データが特定される。
【００１７】
請求項４に係る発明により、印刷装置への接近が検出された場合に印刷データの指定情報の通知が必要か否かが判定される。
【００１８】
請求項５に係る発明により、解析結果から得られる有効期限が経過している印刷データの通知が抑制される。
【００１９】
請求項６に係る発明により、ユーザの利用実績に応じて判断基準を動的に変更しつつ、そのユーザへの印刷データの指定情報の通知が必要か否かが判定されるようになる。
【００２０】
請求項７に係る発明により、印刷データを印刷出力したいというユーザの印刷意欲に応じて、そのユーザに印刷データの指定情報を通知するかどうかを判定するプログラムが提供される。
【図面の簡単な説明】
【００２１】
【図１】携帯端末装置を備えた印刷システムの具体例を示す図である。
【図２】携帯端末装置の具体例を示す図である。
【図３】印刷データの予約番号の通知に係る具体例を示す図である。
【図４】印刷データのファイル属性情報とその判断基準の具体例を示す図である。
【図５】印刷装置の装置情報とその判断基準の具体例を示す図である。
【発明を実施するための形態】
【００２２】
図１は、本発明の具体的な実施態様の一例を示す図である。図１には、携帯端末装置１００を備えた印刷システムの具体例が図示されている。
【００２３】
図１に示す具体例の印刷システムは、１台以上の携帯端末装置１００と１台以上の印刷装置２００と印刷データ管理装置３００を備えている。携帯端末装置１００と印刷装置２００と印刷データ管理装置３００は、例えばインターネットなどの通信回線（通信ネットワーク）４００を介して互いに接続されてデータ（情報）を遣り取りする。
【００２４】
携帯端末装置１００は、図１に示す印刷システムのユーザが利用する装置である。携帯端末装置１００の具体例には、スマートホンやタブレットなどの携帯情報端末と、携帯型のコンピュータ（情報処理装置）などが含まれる。携帯端末装置１００は、例えば無線通信により通信回線４００を利用してデータ（情報）を遣り取りする。
【００２５】
印刷装置２００は、ユーザから出力要求された印刷データの画像（文字や記号のみの画像を含む）を用紙などの印刷媒体に印刷して出力する。印刷装置２００の具体例の一つが印刷機能を備えたプリンタである。なお、印刷装置２００は、印刷機能とスキャナ機能とコピー機能などの複数の画像出力機能を備えた複合型の装置であってもよい。また、印刷装置２００は、例えばコンビニエンスストアなどの店舗に設置されて不特定多数の顧客に利用されてもよい。
【００２６】
印刷データ管理装置３００は、図１に示す印刷システムのユーザが登録する印刷データを管理する。ユーザは、例えばパーソナルコンピュータなどを利用して印刷データ管理装置３００に印刷データを登録する。なお、携帯端末装置１００が印刷データの登録機能を備える構成とし、ユーザが携帯端末装置１００を利用して印刷データ管理装置３００に印刷データを登録するようにしてもよい。また、印刷データ管理装置３００は、ユーザからの出力要求に応じて印刷装置２００に印刷データを出力する。
【００２７】
図２は、携帯端末装置１００（図１）の具体例を示す図である。図２に示す具体例において、携帯端末装置１００は、予約番号管理部１０とデータ記憶部２０と接近検出部３０と位置情報取得部４０と通知判定部５０と属性情報管理部６０と装置情報管理部７０と予約番号通知部８０を備えている。
【００２８】
予約番号管理部１０は、印刷データの予約番号を受け付けて管理する。例えば、ユーザが印刷データ管理装置３００に印刷データを登録すると、印刷データ管理装置３００は、登録された印刷データを記憶して管理するとともに、登録された印刷データを特定するための指定情報の具体例となる予約番号を生成する。予約番号管理部１０は、印刷データ管理装置３００によって生成された予約番号を受け付けて管理する。
【００２９】
なお、印刷データを印刷データ管理装置３００に登録するユーザ（登録利用者）と、印刷データ管理装置３００に登録された印刷データを印刷装置２００で印刷するユーザ（印刷利用者）は異なっていてもよい。例えば、印刷データの作成者（クリエータなど）が登録利用者として印刷データを登録し、その登録利用者が例えばソーシャルネットワーキングサービス（ＳＮＳ）などで印刷データの予約番号を公開することにより、その印刷データの印刷利用者（クリエータのファンなど）が登録された印刷データの予約番号を知ることができる。
【００３０】
データ記憶部２０には、予約番号管理部１０によって管理される予約番号などが記憶される。また、データ記憶部２０には、予約番号の他にも、携帯端末装置１００によって管理される各種の情報が記憶される。データ記憶部２０は、例えば半導体記憶装置などの記憶デバイスを利用して実現される。
【００３１】
接近検出部３０は、携帯端末装置１００が印刷装置２００（図１）に接近したことを検出する。接近の検出には、例えば、有効距離が比較的狭い範囲に限られる近距離型の無線通信（Ｗｉ−Ｆｉ（登録商標）やＢｌｕｅｔｏｏｔｈ（登録商標）など）を利用することができる。例えば、印刷装置２００から出力される近距離型の無線通信のアクセスポイントを基準となる強度（閾値）以上で検知できる場合に、接近検出部３０がその印刷装置２００に接近したと判定（接近を検出）する。
【００３２】
位置情報取得部４０は、携帯端末装置１００の位置情報を取得する。位置情報の取得には、例えばＧＰＳ（登録商標）を利用した位置情報サービスを利用することができる。なお、印刷装置２００が設置されている設置場所の位置情報をデータ記憶部２０に記憶して管理しておくことにより、位置情報取得部４０が取得した携帯端末装置１００の現在の位置情報と印刷装置２００の設置場所の位置情報との比較から、携帯端末装置１００が印刷装置２００に接近したと検出するようにしてもよい。
【００３３】
通知判定部５０は、印刷データを印刷出力したいというユーザ（印刷利用者）の印刷意欲に係る判断基準に従って、印刷データを指定する指定情報（例えば印刷データの予約番号）の通知が必要か否かを判定する。通知判定部５０による判定には、属性情報管理部６０によって管理される印刷データの属性情報と、装置情報管理部７０によって管理される印刷装置２００の装置情報が利用される。
【００３４】
予約番号通知部８０は、通知判定部５０によって通知が必要と判定された印刷データの指定情報（例えば印刷データの予約番号）をユーザ（印刷利用者）に通知する。
【００３５】
図２に示す具体例の携帯端末装置１００は、例えば携帯型のコンピュータ（スマートホンやタブレットなどの携帯情報端末を含む）を利用して実現することができる。そのコンピュータは、ＣＰＵ等の演算デバイス、メモリなどの記憶デバイス、インターネット等の通信回線を利用する通信デバイス、半導体メモリなどの記憶媒体やカードタイプの記憶媒体からデータを読み取りデータを書き込むデバイス、ユーザから操作を受け付ける機能と画像の表示機能を備えたタッチパネル等のハードウェア資源を備えている。
【００３６】
そして、例えば、図２に例示する携帯端末装置１００が備える符号を付した複数部分のうちの少なくとも一部の機能に対応したアプリケーションのプログラム（ソフトウェア）がコンピュータに読み込まれ、そのコンピュータが備えるハードウェア資源と読み込まれたソフトウェアとの協働により、携帯端末装置１００の少なくとも一部の機能がコンピュータにより実現される。そのプログラムは、例えば、インターネット等の通信回線を介してコンピュータ（携帯端末装置１００）に提供されてもよいし、半導体記憶素子を利用したメモリ（カードメモリを含む）などの記憶媒体に記憶されてコンピュータ（携帯端末装置１００）に提供されてもよい。
【００３７】
図１に例示する印刷システムと図２に例示する携帯端末装置１００の全体構成は以上のとおりである。次に、図１の印刷システムと図２の携帯端末装置１００により実現される機能等について詳述する。なお、図１，図２に示した構成（部分）については、以下の説明において図１，図２の符号を利用する。
【００３８】
図３は、印刷データの予約番号の通知に係る具体例を示す図である。図３には、ユーザ（印刷利用者）が携帯する携帯端末装置１００（図１，図２）によって実行される処理のフローチャートが図示されている。
【００３９】
まず、印刷装置２００への接近を検出したかどうかが確認される（Ｓ１）。印刷装置２００への接近が検出されなければ、印刷データの予約番号の通知は行われない。一方、例えば印刷装置２００が設置されている店舗などにユーザが近づき、接近検出部３０が印刷装置２００に接近したことを検出すると、通知対象となる印刷データの特定が行われる（Ｓ２）。
【００４０】
通知判定部５０は、ユーザの印刷データに対する印刷意欲を判断するための判断基準に従って、印刷データ管理装置３００によって管理される複数の印刷データの中から、通知対象となる印刷データを特定する。通知判定部５０は、属性情報管理部６０によって管理される印刷データのファイル属性情報と、そのファイル属性情報を対象とする判断基準に従って、通知対象となる印刷データを特定する。
【００４１】
図４は、印刷データのファイル属性情報とそのファイル属性情報を対象とする判断基準の具体例を示す図である。
【００４２】
印刷データのファイル属性情報は、携帯端末装置１００の属性情報管理部６０によって管理される情報であり、その携帯端末装置１００のユーザ（印刷利用者）が利用可能な複数の印刷データに関する属性情報（属性データ）で構成される。印刷利用者であるユーザが利用可能な印刷データには、例えば、印刷利用者であるユーザ自身が印刷データ管理装置３００に登録した印刷データが含まれ、さらに、印刷利用者とは異なる登録利用者から予約番号の知らせを受けた印刷データなども含まれる。
【００４３】
図４に示す具体例において、印刷データのファイル属性情報には、予約番号と印刷有無と登録日時と有効期限とデータ内の有効期限が含まれている。予約番号は、印刷データの登録時にその印刷データに付与される識別番号である。例えば、ユーザ（印刷利用者）が携帯端末装置１００を利用して予約番号を印刷データ管理装置３００に送信することにより、印刷データ管理装置３００からその予約番号に対応した印刷データのファイル属性情報が携帯端末装置１００に提供される。もちろん、ユーザ自身がファイル属性情報を作成して携帯端末装置１００に入力してもよい。
【００４４】
印刷有無は、印刷データの印刷（出力）が行われたか否かを示す情報である。例えば、図４に示す具体例では、予約番号「ＡＡＡＡ」の印刷データは、印刷が行われた実績があるため印刷有無が「済」となっている。これに対し、予約番号「ＢＢＢＢ」の印刷データは、印刷が行われた実績がないため印刷有無が「未」となっている。
【００４５】
登録日時は、印刷データが登録された日時を示しており、有効期限は、印刷データが利用可能な有効期限を示している。そして、データ内の有効期限は、印刷データ内に示される有効期限である。例えば、公知の文字認識処理などにより印刷データの内容を解析処理することにより、その印刷データ内に示される有効期限が抽出される。その解析処理は、印刷データ管理装置３００が実行してもよいし、携帯端末装置１００が実行してもよい。
【００４６】
携帯端末装置１００の通知判定部５０は、印刷データのファイル属性情報に基づいて、ユーザの印刷データに対する印刷意欲（ユーザがどの印刷データを印刷出力したいと思っているのか、あるいはどの印刷データがユーザにより印刷出力される蓋然性が高いか等）を判断する。通知判定部５０は、ファイル属性情報の判断基準に従って、その印刷意欲を判断する。
【００４７】
図４には、ファイル属性情報の判断基準の具体例が図示されている。図４に例示する判断基準では、予約番号が「任意」であるため予約番号についての制限はなく、印刷有無が「未」であるため印刷が行われた実績の無い印刷データに制限される。また、登録日時が「１ヶ月以内」であるため、判断の時点において登録日時が１ヶ月以内の印刷データに制限される。さらに、有効期限とデータ内の有効期限が共に「期限切れでない」とされているため、判断の時点において有効期限とデータ内の有効期限が切れていない（有効期限が経過していない）印刷データに制限される。
【００４８】
したがって、例えば、２０１７年１２月２０日に、図４に例示するファイル属性情報の判断基準に従って、図４に例示する印刷データのファイル属性情報に含まれる印刷データの中から、ユーザにとって印刷意欲のある印刷データを特定すると、予約番号「ＤＤＤＤ」の印刷データが特定される。
【００４９】
なお、例えば、ファイル属性情報の判断基準をユーザが印刷データの利用状況などに応じて変更できる構成としてもよい。また、ユーザの利用実績に応じて、判断基準が変更されてもよい。例えば、登録日時が１ヶ月を超える印刷データをユーザが印刷した場合に、登録日時が１ヶ月を超える印刷データにもそのユーザが印刷意欲を示していると判断し、登録日時の条件を「１ヶ月以内」から例えば「２ヶ月以内」などに変更するようにしてもよい。
【００５０】
図３に戻り、Ｓ２において通知対象となる印刷データが特定されなければ、印刷データの予約番号の通知は行われない。一方、通知対象となる印刷データが特定されると、通知対象となる印刷データの予約番号の通知が必要か否かの判定が行われる（Ｓ３）。
【００５１】
通知判定部５０は、ユーザの印刷装置２００に対する印刷意欲を判断するための判断基準に従って、通知対象として特定された印刷データの予約番号の通知が必要か否かを判定する。通知判定部５０は、装置情報管理部７０によって管理される印刷装置２００の装置情報と、その装置情報を対象とする判断基準に従って、通知が必要か否かを判定する。
【００５２】
図５は、印刷装置２００の装置情報とその装置情報を対象とする判断基準の具体例を示す図である。
【００５３】
印刷装置２００の装置情報は、携帯端末装置１００の装置情報管理部７０によって管理される情報であり、その携帯端末装置１００のユーザ（印刷利用者）が利用する可能性のある複数の印刷装置２００に関する情報（データ）で構成される。
【００５４】
例えば、接近検出部３０がこれまでに接近を検出したことのある印刷装置２００について、装置情報管理部７０がその印刷装置２００の装置情報を生成して管理するようにしてもよいし、ユーザ自身が印刷装置２００の装置情報を作成して携帯端末装置１００に入力してもよい。
【００５５】
図５に示す具体例において、印刷装置２００の装置情報には、位置と印刷実績と自宅からの距離が含まれている。位置は、印刷装置２００が設置されている設置位置（設置場所）を示す情報である。印刷実績は、その印刷装置２００においてユーザが印刷（出力）を行った実績があるか否かを示している。そして、自宅からの距離は、ユーザの自宅から印刷装置２００までの距離を示している。
【００５６】
携帯端末装置１００の通知判定部５０は、印刷装置２００の装置情報に基づいて、ユーザの印刷装置２００に対する印刷意欲（ユーザがどの印刷装置２００で印刷出力したいと思っているのか、あるいはどの印刷装置２００がユーザにより利用される蓋然性が高いか等）を判断する。通知判定部５０は、装置情報の判断基準に従って、印刷装置２００に対する印刷意欲を判断する。
【００５７】
図５には、装置情報の判断基準の具体例が図示されている。図５に例示する判断基準では、位置が「任意」であるため印刷装置２００の位置についての制限はなく、また、印刷実績も「任意」であるため、ユーザが印刷（出力）を行ったか否かによる制限もない。自宅からの距離には、「印刷実績なし：５００ｍ以内」と「印刷実績あり：任意」が設定されている。そのため、過去に印刷実績がない印刷装置２００については、自宅からの距離が５００ｍ以内のものに制限される。過去に印刷実績がある印刷装置２００については、自宅からの距離による制限がない。
【００５８】
したがって、図５に例示する装置情報の判断基準に従うと、図５に例示する装置情報に含まれる印刷装置２００の情報の中から、ユーザにとって印刷意欲のある印刷装置２００を特定すると、位置「Ｘ」の印刷装置２００が特定される。
【００５９】
なお、例えば、装置情報の判断基準をユーザが印刷装置２００の利用状況などに応じて変更できる構成としてもよい。また、ユーザの利用実績に応じて、判断基準が変更されてもよい。例えば、ユーザが自宅からの距離が５００ｍを超える複数の印刷装置２００を利用した場合に、そのユーザが自宅からの距離が５００ｍを超える印刷装置２００にも印刷意欲（印刷装置２００を利用する意思）を示していると判断し、自宅からの距離の条件の「印刷実績なし」を例えば「１０００ｍ以内」などに変更するようにしてもよい。
【００６０】
また、例えば、印刷データの登録地点（ユーザが印刷データの登録を行った位置）から印刷装置２００までの距離や、ユーザの行動情報（印刷装置２００の方向に向かっているかどうかなど）を判断基準の条件としてもよい。例えば、印刷装置２００への接近を検出した場合であっても、携帯端末装置１００が検出するユーザの移動方向や移動速度に変化が検出されない場合に、ユーザがその印刷装置２００に向かっていないと判断して、通知が不要であると判定してもよい。
【００６１】
図３に戻り、Ｓ３において通知が不要であると判定されると、印刷データの予約番号の通知は行われない。一方、例えば、Ｓ１において位置「Ｘ」の印刷装置２００（図５参照）が検出されていれば、ユーザにとって印刷意欲のある印刷装置２００であるため、Ｓ３において通知が必要であると判定され、Ｓ２において特定された通知対象となる印刷データの予約番号がユーザに通知される（Ｓ４）。
【００６２】
予約番号通知部８０は、例えば、携帯端末装置１００のオペレーティングシステム（ＯＳ）に対して、通知対象として特定された印刷データの予約番号の通知を指示する。これにより、例えば、携帯端末装置１００が備えるディスプレイ（タッチパネル）上に印刷データの予約番号が表示され、ユーザがその通知を確認することができるようになる。
【００６３】
なお、印刷データの予約番号の他に、例えば、その印刷データの印刷内容を示すサムネイル画像などが表示されてもよい。例えば、複数の類似した印刷データが登録されている場合や、修正前後の印刷データが登録されている場合などに、印刷データの印刷内容を示す画像が表示されていれば、印刷前にその印刷データの内容をユーザが確認できるようになる。
【００６４】
ちなみに、ユーザの印刷意欲を無視して、例えば、ユーザが利用する可能性のある全ての印刷装置２００を対象として印刷装置２００への接近が検出される度に、ユーザが利用可能な全ての印刷データの予約番号を通知してしまうと、ユーザが印刷する意欲の無い印刷装置２００の近くを通りがかっただけで、印刷する意欲のない印刷データの予約番号も表示されてしまい、ユーザにとって通知が邪魔になってしまう場合がある。
【００６５】
これに対し、図１から図５を利用して説明した具体例によれば、ユーザが印刷意欲を示す印刷データの予約番号を、ユーザが印刷意欲を示す印刷装置２００に接近したタイミングで通知できるようになる。そして、例えば、表示された予約番号をユーザが印刷装置２００に入力することにより、予約番号に対応した印刷データの印刷が実行される。
【００６６】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００６７】
１０  予約番号管理部、２０  データ記憶部、３０  接近検出部、４０  位置情報取得部、５０  通知判定部、６０  属性情報管理部、７０  装置情報管理部、８０  予約番号通知部、１００  携帯端末装置、２００  印刷装置、３００  印刷データ管理装置。
【図１】
2019159973.tif 000003
【図２】
2019159973.tif 000004
【図３】
2019159973.tif 000005
【図４】
2019159973.tif 000006
【図５】
2019159973.tif 000007